(57)【要約】【課題】野球用又はソフトボール用バットの先端構造に工夫を凝らすことで、弾性体部分が傷ついて交換が必要になったような場合でも、容易に弾性体部分の交換が可能なようにする。【解決手段】先端部、打球部、テーパー部、グリップ部からなり、打球部又は打球部からテーパー部にかけて凹部１１を設けると共に、凹部１１に弾性体３を被覆一体化した野球用又はソフトボール用バット１において、バット芯体１２には雄ネジ体４を取り付け、さらに先端部材２には雄ネジ体４と嵌合する雌ネジ体２１を設けることにより、バット芯体１２と先端部材２とを着脱自在とする。【選択図】        図２
2004290474.tif 000002
【特許請求の範囲】
【請求項１】
先端部、打球部、テーパー部、グリップ部からなり、打球部又は打球部からテーパー部にかけて凹部（１１）を設けると共に、凹部（１１）に弾性体（３）を被覆一体化した野球用又はソフトボール用バット（１）において、
バット芯体（１２）には雄ネジ体（４）を取り付け、さらに先端部材（２）には雄ネジ体（４）と嵌合する雌ネジ体（２１）を設けることにより、バット芯体（１２）と先端部材（２）とを着脱自在とした野球用又はソフトボール用バットの先端構造。
【請求項２】
先端部、打球部、テーパー部、グリップ部からなり、打球部又は打球部からテーパー部にかけて凹部（１１）を設けると共に、凹部（１１）に弾性体（３）を被覆一体化した野球用又はソフトボール用バット（１）において、
バット芯体（１２）の外周部にはその長手方向と直行するように等間隔に輪状凸部（５）を複数設け、さらに先端部材（２）には輪状凸部（５）と嵌合する輪状凹部（２２）を設けることにより、バット芯体（１２）と先端部材（２）とを着脱自在とした野球用又はソフトボール用バットの先端構造。
【請求項３】
先端部、打球部、テーパー部、グリップ部からなり、打球部又は打球部からテーパー部にかけて凹部（１１）を設けると共に、凹部（１１）に弾性体（３）を被覆一体化した野球用又はソフトボール用バット（１）において、
バット芯体（１２）の外周部にはその長手方向と直行するように横溝（６）を設け、バット芯体先端（１３）から横溝（６）に至る縦溝（１４）を複数設け、横溝（６）の深さは縦溝位置（６１）と縦溝位置（６１）の中間位置（６２）が最も深くなっており、
また、先端部材（２）には縦溝（１４）に嵌合する突起（２３）を設けることにより、バット芯体（１２）と先端部材（２）とを着脱自在とした野球用又はソフトボール用バットの先端構造。
【請求項４】
先端部、打球部、テーパー部、グリップ部からなり、打球部又は打球部からテーパー部にかけて凹部（１１）を設けると共に、凹部（１１）に弾性体（３）を被覆一体化した野球用又はソフトボール用バット（１）において、
バット芯体（１２）の外周部に先端部材結合用凹部（１６）を設け、その外周に両面テープを貼着すると共に、前記両面テープに揮発性油を塗布した後、先端部材（２）の筒状部（２４）を挿入することにより、バット芯体（１２）と先端部材（２）とを着脱自在とした野球用又はソフトボール用バットの先端構造。
【請求項５】
先端部、打球部、テーパー部、グリップ部からなり、打球部又は打球部からテーパー部にかけて凹部（１１）を設けると共に、凹部（１１）に弾性体（３）を被覆一体化した野球用又はソフトボール用バット（１）を製造するにあたり、
芯金（７）の端部にバット芯体（１２）を構成するプリプレグを巻き付け、次にバット芯体（１２）の外周部の先端部材結合用凹部（１６）の外周に離型性シートを巻き付け、さらに前記離型性シート上から先端部材（２）を構成するプリプレグを巻きつけてバット形状とした後、芯金（７）を抜き取りチューブを挿入した上で、先端部材（２）を構成する蓋体（２５）を被せて金型内に載置し、
前記チューブに圧力を加えてバットを加熱加圧成型することにより、分離可能なバット芯体（１２）と先端部材（２）とを同時に成型する野球用又はソフトボール用バットの製造方法。
【発明の詳細な説明】
【０００１】
【発明の属する技術分野】
本発明は、野球用又はソフトボール用バットの反発特性を改良するために、打球部又は打球部からテーパー部にかけて凹部を設けると共に、前記凹部に弾性体を被覆一体化したバットにおいて、前記弾性体の交換を容易にしようとするものである。
【０００２】
【従来の技術】
発明者らは、反発特性に優れた良く飛ぶ野球用、ソフトボール用バットととして、打球部の凹部に弾性体を被覆一体化する発明をした。
この発明を実施した野球用又はソフトボール用バットは、従来にない飛距離の向上が図れるところから非常な人気を博している。
【従来技術の開示】
【特許文献１】特開２００３−１９２３６
【０００３】
【発明が解決しようとする課題】
ところが、弾性体部分が傷ついて交換が必要になったような場合は、弾性体部分を取り除いた後、新たな弾性体を装着する必要があった。
このような作業は、新しいバットを製造する際と同様の工程が必要であり、手間が非常にかかるものであった。
【０００４】
そこで、本発明は、野球用又はソフトボール用バットの先端構造に工夫を凝らすことで、容易に弾性体部分の交換が可能な野球用又はソフトボール用バットを提供しようとするものである。
【０００５】
【課題を解決するための手段】
請求項１の発明は、先端部、打球部、テーパー部、グリップ部からなり、打球部又は打球部からテーパー部にかけて凹部１１を設けると共に、凹部１１に弾性体３を被覆一体化した野球用又はソフトボール用バット１において、バット芯体１２には雄ネジ体４を取り付け、さらに先端部材２には雄ネジ体４と嵌合する雌ネジ体２１を設けることにより、バット芯体１２と先端部材２とを着脱自在とした野球用又はソフトボール用バットの先端構造である。
【０００６】
請求項２の発明は、先端部、打球部、テーパー部、グリップ部からなり、打球部又は打球部からテーパー部にかけて凹部１１を設けると共に、凹部１１に弾性体３を被覆一体化した野球用又はソフトボール用バット１において、バット芯体１２の外周部にはその長手方向と直行するように等間隔に輪状凸部５を複数設け、さらに先端部材２には輪状凸部５と嵌合する輪状凹部２２を設けることにより、バット芯体１２と先端部材２とを着脱自在とした野球用又はソフトボール用バットの先端構造である。
【０００７】
請求項３の発明は、先端部、打球部、テーパー部、グリップ部からなり、打球部又は打球部からテーパー部にかけて凹部１１を設けると共に、凹部１１に弾性体３を被覆一体化した野球用又はソフトボール用バット１において、バット芯体１２の外周部にはその長手方向と直行するように横溝６を設け、バット芯体先端１３から横溝６に至る縦溝１４を複数設け、横溝６の深さは縦溝位置６１と縦溝位置６１の中間位置６２が最も深くなっており、また、先端部材２には縦溝１４に嵌合する突起２３を設けることにより、バット芯体１２と先端部材２とを着脱自在とした野球用又はソフトボール用バットの先端構造である。
【０００８】
請求項４の発明は、先端部、打球部、テーパー部、グリップ部からなり、打球部又は打球部からテーパー部にかけて凹部１１を設けると共に、凹部１１に弾性体３を被覆一体化した野球用又はソフトボール用バット１において、バット芯体１２の外周部に先端部材結合用凹部１６を設け、その外周に両面テープを貼着すると共に、前記両面テープに揮発性油を塗布した後、先端部材２の筒状部２４を挿入することにより、バット芯体１２と先端部材２とを着脱自在とした野球用又はソフトボール用バットの先端構造である。
【０００９】
請求項５の発明は、先端部、打球部、テーパー部、グリップ部からなり、打球部又は打球部からテーパー部にかけて凹部１１を設けると共に、凹部１１に弾性体３を被覆一体化した野球用又はソフトボール用バット１を製造するにあたり、芯金７の端部にバット芯体１２を構成するプリプレグを巻き付け、次にバット芯体１２の外周部の先端部材結合用凹部１６の外周に離型性シートを巻き付け、さらに前記離型性シート上から先端部材２を構成するプリプレグを巻きつけてバット形状とした後、芯金７を抜き取りチューブを挿入した上で、先端部材２を構成する蓋体２５を被せて金型内に載置し、前記チューブに圧力を加えてバットを加熱加圧成型することにより、分離可能なバット芯体１２と先端部材２とを同時に成型する野球用又はソフトボール用バットの製造方法である。
【００１０】
本発明は、前記のような構成とすることにより、打球部又は打球部からテーパー部にかけて凹部１１を設けると共に、凹部１１に弾性体３を被覆一体化することにより、飛距離の向上を図ることができたが、さらに、弾性体３が傷ついたような場合であっても、容易に弾性体３を交換することが可能となった。
【００１１】
【発明の実施の形態】
図１は、本発明バットの全体の長手方向断面図であり、先端部、打球部、テーパー部、グリップ部からなり、打球部に凹部１１を設けると共に、凹部１１には弾性体３を被覆一体化している。また、先端部材２は、別体で構成されている。なお、図示はしないが、打球部からテーパー部にかけて凹部１１を設けると共に、前記凹部１１に弾性体３を設けるような構成とすることも可能である。
【００１２】
本発明に係る野球用又はソフトボール用バット１の材料としては、金属、木材または繊維強化プラスチック（ＦＲＰ）などの材料を使用することができる。また、バット本体の構造を中空構造とするのが軽量化及び高耐久性の観点から好ましい。例えば、ＦＲＰ製の中空バット本体、金属製の中空バット本体等がバット本体として好ましく使用できる。
【００１３】
（実施の形態１）
このように、バット芯体１２が中空部であることを考慮すると、図２のような構造とするのが良い。なお、図２は、雄ネジ体４を除いて、バットを長手方向に切断した断面図である。
この実施の形態においては、バット芯体１２の空洞部の内面に雌ネジを切り、ここに雄ネジ体４を取り付け、さらに先端部材２には雄ネジ体４と嵌合する雌ネジ体２１を設けることにより、バット芯体１２と先端部材２とを着脱自在とするものである。
このように構成すれば、先端部材２とバット芯体１２とを着脱自在にできるので、弾性体３を先端部材２側から挿脱することが容易にできるようになる。
【００１４】
先端部材２は、先端部本体２０と雌ネジ体２１とを一体に成型してもよいが、別々に成型した後、接着等により接合しても良い。
なお、図２の実施例では、バット芯体１２の空洞部の内面に補強用梁１７を設けているが、これは特に必須の構成要素ではない。しかし、補強用梁１７を設けておくことで、バット芯体１２の強度を増すことができる。
【００１５】
（実施の形態２）
また、図３に示すように、先端部材２とバット芯体１２とを、ラチェット式に着脱自在とすることもできる。なお、図３は、バットを長手方向に切断した断面図である。
具体的には、バット芯体１２の先端部材２側の外周部に、その長手方向と直行するように等間隔に輪状凸部５を複数設け、さらに先端部材２には輪状凸部５と嵌合する輪状凹部２２を設けることにより、バット芯体１２と先端部材２とを着脱自在とするものである。
このように構成すれば、先端部材２をバット芯体１２に無理押し、無理抜きすることにより着脱自在となるので、弾性体３を先端部材２側から容易挿脱可能とすることができる。
【００１６】
バット芯体１２の先端部材２側の外周部に等間隔に設ける複数の輪状凸部５は、バット芯体１２を削切して設けることもできるが、複数の輪状凸部５を設けた別体の部材を作り、バット芯体１２を成型する際に一体成型により取り付けることもできる。
【００１７】
先端部材２は、図４に示すように、リング状に構成することもできる。この場合、先端部材２の中心部はバット芯体１２に相当する孔部２６となる。そこで、バット芯体先端１３側から、栓体１５によって、バット芯体１２の空洞部に蓋をするものである。
このように構成すれば、バットとして完成したときに、先端に孔が開くようなことはない。
【００１８】
なお、図示はしないが、図２で示した実施例においても、先端部材２を図４に示すようなリング状とすることができる。この場合は、雄ネジ体４の先端が先端部材２の孔部２６の蓋を兼ねることになる。
【００１９】
（実施の形態３）
図５乃至図１１においては、バット芯体１２の外周部に、その長手方向と直行するように横溝６を設けている。
なお、図５はバット芯体１２をバット芯体先端１３側から見た図であり、図６は図５のＡ−Ａ線断面図、図７は図５のＢ−Ｂ線断面図、図８は図５のＣ−Ｃ線断面図である。
また、図９は先端部材２をバット芯体１２に着脱する側から見た図であり、図１０は図９のＡ−Ａ線断面図、図１１は図９のＢ−Ｂ線端面図である。
【００２０】
この実施の形態においては、バット芯体先端１３から横溝６に至る縦溝１４を複数設ける。横溝６の深さは、縦溝位置６１と縦溝位置６１の中間位置６２で最も深くなっている。
先端部材２には、縦溝１４に嵌合する突起２３を設ける。なお、突起２３の高さは、縦溝位置６１と縦溝位置６１の最も深くなった中間位置６２の深さと同じにしておくとよい。
【００２１】
着脱の方法を説明すると、まず、先端部材２の突起２３をバット芯体１２の縦溝１４に嵌合させて無理入れし、その後、先端部材２を横溝６に沿って回転させれば、突起２３は横溝６を移動して縦溝位置６１と縦溝位置６１の中間位置６２に至る。縦溝位置６１と縦溝位置６１の中間位置６２は最も深くなっているから、この深さと同じ高さの突起２３はここで係合し、その結果、先端部材２を固定することができる。
先端部材２を取り外すには、先端部材２を横溝６に沿って強く力を加えれば、突起２３と、縦溝位置６１と縦溝位置６１の中間位置６２との係合が外れる。その後、突起２３を縦溝１４に導き、縦溝１４から取り外せば、先端部材２を分離できる。
以上により、バット芯体１２と先端部材２とを着脱自在とすることができる。
【００２２】
このように、突起２３の高さを、縦溝位置６１と縦溝位置６１の最も深くなった中間位置６２の深さと略同じにしておけば、縦溝位置６１と縦溝位置６１の中間位置６２に係合したときに外れ難くなる。但し、突起２３の高さを余りに高くすると、突起２３が縦溝１４や横溝６に嵌合させることができなくなるので注意を要する。
【００２３】
また、図９では突起２３を４つ、これに嵌合する縦溝１４も４箇所に設けているが、この数は任意に設計できるところである。いずれの場合も等間隔に設けておくと、バット芯体１２と先端部材２とを嵌合させやすい。
【００２４】
（実施の形態４）
図１２は、バットを長手方向に切断した断面図である。
この実施の形態においては、バット芯体１２の外周部に先端部材結合用凹部１６を設け、その外周に両面テープを貼着する（両面テープは図示せず）。その後、前記両面テープに揮発性油を塗布する。先端部材２には、バット芯体１２の先端部材結合用凹部１６に挿入することのできる筒状部２４を設けておく。そして、筒状部２４を先端部材結合用凹部１６に挿入するものである。
【００２５】
このように構成すれば、揮発性油が蒸発することで、先端部材２とバット芯体１２とは強固に固定される。
また、前記結合部分を暖めるか、再度揮発性油の中に浸すことにより、両面テープの粘着部分が軟化するので、容易に先端部材２をバット芯体１２から取り外すことができる。
以上により、バット芯体１２と先端部材２とを着脱自在とすることができる。
【００２６】
また、図１２に示した先端部材２は別体に成型することもできるが、図１３に示すようにバット芯体１２を成型する際に同時に一体成型することもできる。なお、この実施の形態においては、繊維強化プラスチック（ＦＲＰ）を用いてバットを成型することになる。
【００２７】
まず、芯金７の端部にバット芯体１２を構成するプリプレグを巻き付ける。次に、バット芯体１２の先端部材結合用凹部１６の外周に離型性シートを巻き付ける。さらに、前記離型性シート上から先端部材２を構成するプリプレグを巻きつけてバット形状とする。その後、芯金７を抜き取り、芯金７を抜いた空洞部にチューブを挿入する。さらに、芯金７を抜いた結果、孔となっている先端に、先端部材２を構成する蓋体２５を被せる。
前記プリプレグを巻いて未硬化の状態のバットを金型内に載置し、前記チューブに圧力を加えてバットを加熱加圧成型すれば、硬化した野球用又はソフトボール用バットが得られる。
【００２８】
なお、この実施の形態においては、先端部材２は、バット芯体１２の先端部材結合用凹部１６の外周に巻きつけられた離型性シート上に巻きつけられたプリプレグからなる部分と、蓋体２５とから構成され、金型内に載置して加熱加圧成型する際に一体に成型されることになる。
【００２９】
前記のようにしてバットを製造すれば、バット芯体１２を構成する部分と、先端部材２との間には離型性シートが介在しているので、加熱加圧成型後、バット芯体１２と先端部材２とを分離することができる。
従って、分離させた後、バット芯体１２の先端部材結合用凹部１６の外周に両面テープを貼着し、その後、前記両面テープに揮発性油を塗布して先端部材２を挿入すれば、バット芯体１２と先端部材２とを結合することができる。
【００３０】
以上のように、本発明においては、バット芯体１２と先端部材２とを着脱自在としたので、弾性体３が傷ついたような場合であっても、容易に弾性体３を交換することができる。
すなわち、先端部材２を取り外した状態で筒状に構成した弾性体３をバット芯体１２に挿入し、その後バット芯体１２に先端部材２を固定すれば、所望の野球用又はソフトボール用バットを得ることができる。
【００３１】
実施の形態１〜３にあっては、先端部材２をバット芯体１２から取り外し、弾性体３を抜き取れば、新しい弾性体３と交換することができる。
実施の形態４にあっては、交換の必要な弾性体３をバット芯体１２から取り除いた後、バット芯体１２を剥き出しにした状態で結合部分を暖めるか、再度揮発性油の中に浸せば、両面テープの粘着部分が軟化するので、先端部材２をバット芯体１２から取り外すことができる。この場合は、実施の形態１〜３に比較して、弾性体３の取り外しにはやや時間がかかるが、新しい弾性体３の取り付けは、他の実施の形態と変わらない時間で処理することができる。
【００３２】
【発明の効果】
以上のように本発明では、先端部材２をバット芯体１２から容易に取り外し可能としたので、弾性体３が傷ついても容易に交換をすることができる。
容易に弾性体３を交換することが可能となった事で、耐久性にはやや劣るが反発特性には優れた材料を、弾性体３として使用する事が可能になる。
また、耐久性とは関係なく、外周にいろいろなデザインを施した弾性体３を用意しておくことで、弾性体３を交換すればバット１全体の雰囲気を変えることができる。
【００３３】
さらに、先端部材２とバット芯体１２とを一体に成型すれば、先端部材をわざわざ別に成型する必要がなくなり、本発明の構造に係る野球用又はソフトボール用バットの先端構造を容易に得ることができる。
【図面の簡単な説明】
【図１】本発明に係るバット全体の長手方向断面図である。
【図２】本発明に係るバット先端部の雄ネジ体を除く長手方向断面図である。
【図３】本発明に係るバット先端部の他の実施の形態を示す長手方向断面図である。
【図４】本発明に係るバット先端部の他の実施の形態を示す長手方向断面図である。
【図５】本発明に係るバット芯体をバット芯体先端側から見た図である。
【図６】図５のＡ−Ａ線断面図である。
【図７】図５のＢ−Ｂ線断面図である。
【図８】図５のＣ−Ｃ線断面図である。
【図９】本発明に係る先端部材をバット芯体に着脱する側から見た図である。
【図１０】図９のＡ−Ａ線断面図である。
【図１１】図９のＢ−Ｂ線端面図である。
【図１２】本発明に係るバット先端部の他の実施の形態を示す長手方向断面図である。
【図１３】本発明に係るバット先端部の製造過程を示す断面説明図である。
【符号の説明】
１    野球用又はソフトボール用バット
１１  凹部
１２  バット芯体
１３  バット芯体先端
１４  縦溝
１５  栓体
１６  先端部材結合用凹部
１７  補強用梁
２    先端部材
２０  先端部本体
２１  雌ネジ体
２２  輪状凹部
２３  突起
２４  挿入部
２５  蓋体
２６  孔部
３    弾性体
４    雄ネジ体
５    輪状凸部
６    横溝
６１  縦溝位置
６２  中間位置
７    芯金
【図１】
2004290474.tif 000003
【図２】
2004290474.tif 000004
【図３】
2004290474.tif 000005
【図４】
2004290474.tif 000006
【図５】
2004290474.tif 000007
【図６】
2004290474.tif 000008
【図７】
2004290474.tif 000009
【図８】
2004290474.tif 000010
【図９】
2004290474.tif 000011
【図１０】
2004290474.tif 000012
【図１１】
2004290474.tif 000013
【図１２】
2004290474.tif 000014
【図１３】
2004290474.tif 000015